【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
判別条件の成立に基づいて判別を実行する判別手段と、
その判別手段の判別結果が予め定められた特定の判別結果となったことに基づいて遊技者に有利な特典遊技を実行する特典遊技実行手段と、を有した遊技機において、
前記判別手段の判別結果を示すための第１演出を実行可能な第１演出実行手段と、
前記第１演出の実行期間に含まれる予め定められた第１の演出期間において予め定められた特定の態様を少なくとも含んで構成される第２演出を実行する第２演出実行手段と、
予め定められた第１条件が成立したことに基づいて、前記第２演出の実行中に第１特定演出を実行する第１特定演出実行手段と、
その第１特定演出実行手段により実行される前記第１特定演出の演出態様として、第１演出態様と、その第１演出態様よりも遊技者に有利となることを示唆可能な第２演出態様と、を少なくとも含む複数のうち１の演出態様を決定する第１演出態様決定手段と、
前記第１演出の実行期間に含まれる期間であって前記第１の演出期間よりも後の期間である第２の演出期間において、前記特定の態様を少なくとも含んで構成される第３演出を実行する第３演出実行手段と、
予め定められた第２条件が成立したことに基づいて、前記第３演出の実行中に第２特定演出を実行する第２特定演出実行手段と、
その第２特定演出実行手段により実行される前記第２特定演出の演出態様として、前記第１演出態様と、前記第２演出態様と、を少なくとも含む複数のうち１の演出態様を決定する第２演出態様決定手段と、を備え、
前記第１演出態様決定手段によって前記第２演出態様が決定される割合は、前記第２演出態様決定手段によって前記第２演出態様が決定される割合よりも低くなり易くなる構成であり、
前記第３演出実行手段は、１の前記第１演出の実行期間の間に実行された前記第１特定演出が前記第１演出態様であった場合において、前記１の前記第１演出の実行期間に含まれる前記第２の演出期間において前記第３演出を実行可能であり、
前記遊技機は、
前記特定の判別結果を示すための前記第１演出が実行された場合に、前記第１演出が終了するまでに前記第２演出は実行されるが前記第３演出は実行されない第１の状況と、前記第１演出が終了するまでに前記第２演出と前記第３演出との両方が実行される第２の状況と、を少なくとも含む複数のうち１の状況が成立し得る構成であり、
前記特定の判別結果を示すための前記第１演出であって前記第１の状況が成立する前記第１演出で前記第１演出態様決定手段により前記第２演出態様が決定される割合は、前記特定の判別結果を示すための前記第１演出であって前記第２の状況が成立する前記第１演出で前記第１演出態様決定手段により前記第２演出態様が決定される割合よりも高くなる構成であることを特徴とする遊技機。
【手続補正２】
【補正対象書類名】明細書
【補正対象項目名】０００２
【補正方法】変更
【補正の内容】
【０００２】
パチンコ機等の遊技機において、液晶表示装置等の表示装置が設けられた遊技機が知られている。この従来型の遊技機では、表示装置において図柄の変動表示が行われ、予め定められた図柄が停止表示されることで、遊技者に有利な当たり遊技が付与される。また、表示装置には、図柄以外にもキャラクタや風景等の様々な画像が表示され、多種多様な興趣演出を実行することで遊技の興趣向上を図っていた。
【手続補正３】
【補正対象書類名】明細書
【補正対象項目名】０００４
【補正方法】変更
【補正の内容】
【０００４】
しかしながら、より好適な演出の実行が求められている。
【手続補正４】
【補正対象書類名】明細書
【補正対象項目名】０００５
【補正方法】変更
【補正の内容】
【０００５】
本発明は、上記例示した問題点等を解決するためになされたものであり、より好適に演出を実行することができる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、判別条件の成立に基づいて判別を実行する判別手段と、その判別手段の判別結果が予め定められた特定の判別結果となったことに基づいて遊技者に有利な特典遊技を実行する特典遊技実行手段と、を有し、前記判別手段の判別結果を示すための第１演出を実行可能な第１演出実行手段と、前記第１演出の実行期間に含まれる予め定められた第１の演出期間において予め定められた特定の態様を少なくとも含んで構成される第２演出を実行する第２演出実行手段と、予め定められた第１条件が成立したことに基づいて、前記第２演出の実行中に第１特定演出を実行する第１特定演出実行手段と、その第１特定演出実行手段により実行される前記第１特定演出の演出態様として、第１演出態様と、その第１演出態様よりも遊技者に有利となることを示唆可能な第２演出態様と、を少なくとも含む複数のうち１の演出態様を決定する第１演出態様決定手段と、前記第１演出の実行期間に含まれる期間であって前記第１の演出期間よりも後の期間である第２の演出期間において、前記特定の態様を少なくとも含んで構成される第３演出を実行する第３演出実行手段と、予め定められた第２条件が成立したことに基づいて、前記第３演出の実行中に第２特定演出を実行する第２特定演出実行手段と、その第２特定演出実行手段により実行される前記第２特定演出の演出態様として、前記第１演出態様と、前記第２演出態様と、を少なくとも含む複数のうち１の演出態様を決定する第２演出態様決定手段と、を備え、前記第１演出態様決定手段によって前記第２演出態様が決定される割合は、前記第２演出態様決定手段によって前記第２演出態様が決定される割合よりも低くなり易くなる構成であり、前記第３演出実行手段は、１の前記第１演出の実行期間の間に実行された前記第１特定演出が前記第１演出態様であった場合において、前記１の前記第１演出の実行期間に含まれる前記第２の演出期間において前記第３演出を実行可能であり、前記遊技機は、前記特定の判別結果を示すための前記第１演出が実行された場合に、前記第１演出が終了するまでに前記第２演出は実行されるが前記第３演出は実行されない第１の状況と、前記第１演出が終了するまでに前記第２演出と前記第３演出との両方が実行される第２の状況と、を少なくとも含む複数のうち１の状況が成立し得る構成であり、前記特定の判別結果を示すための前記第１演出であって前記第１の状況が成立する前記第１演出で前記第１演出態様決定手段により前記第２演出態様が決定される割合は、前記特定の判別結果を示すための前記第１演出であって前記第２の状況が成立する前記第１演出で前記第１演出態様決定手段により前記第２演出態様が決定される割合よりも高くなる構成である。
【手続補正６】
【補正対象書類名】明細書
【補正対象項目名】００１１
【補正方法】変更
【補正の内容】
【００１１】
請求項１記載の遊技機によれば、判別条件の成立に基づいて判別を実行する判別手段と、その判別手段の判別結果が予め定められた特定の判別結果となったことに基づいて遊技者に有利な特典遊技を実行する特典遊技実行手段と、を有し、前記判別手段の判別結果を示すための第１演出を実行可能な第１演出実行手段と、前記第１演出の実行期間に含まれる予め定められた第１の演出期間において予め定められた特定の態様を少なくとも含んで構成される第２演出を実行する第２演出実行手段と、予め定められた第１条件が成立したことに基づいて、前記第２演出の実行中に第１特定演出を実行する第１特定演出実行手段と、その第１特定演出実行手段により実行される前記第１特定演出の演出態様として、第１演出態様と、その第１演出態様よりも遊技者に有利となることを示唆可能な第２演出態様と、を少なくとも含む複数のうち１の演出態様を決定する第１演出態様決定手段と、前記第１演出の実行期間に含まれる期間であって前記第１の演出期間よりも後の期間である第２の演出期間において、前記特定の態様を少なくとも含んで構成される第３演出を実行する第３演出実行手段と、予め定められた第２条件が成立したことに基づいて、前記第３演出の実行中に第２特定演出を実行する第２特定演出実行手段と、その第２特定演出実行手段により実行される前記第２特定演出の演出態様として、前記第１演出態様と、前記第２演出態様と、を少なくとも含む複数のうち１の演出態様を決定する第２演出態様決定手段と、を備え、前記第１演出態様決定手段によって前記第２演出態様が決定される割合は、前記第２演出態様決定手段によって前記第２演出態様が決定される割合よりも低くなり易くなる構成であり、前記第３演出実行手段は、１の前記第１演出の実行期間の間に実行された前記第１特定演出が前記第１演出態様であった場合において、前記１の前記第１演出の実行期間に含まれる前記第２の演出期間において前記第３演出を実行可能であり、前記遊技機は、前記特定の判別結果を示すための前記第１演出が実行された場合に、前記第１演出が終了するまでに前記第２演出は実行されるが前記第３演出は実行されない第１の状況と、前記第１演出が終了するまでに前記第２演出と前記第３演出との両方が実行される第２の状況と、を少なくとも含む複数のうち１の状況が成立し得る構成であり、前記特定の判別結果を示すための前記第１演出であって前記第１の状況が成立する前記第１演出で前記第１演出態様決定手段により前記第２演出態様が決定される割合は、前記特定の判別結果を示すための前記第１演出であって前記第２の状況が成立する前記第１演出で前記第１演出態様決定手段により前記第２演出態様が決定される割合よりも高くなる構成である。
【手続補正７】
【補正対象書類名】明細書
【補正対象項目名】００１２
【補正方法】変更
【補正の内容】
【００１２】
これにより、演出をより好適に実行することができるという効果がある。
【手続補正８】
【補正対象書類名】明細書
【補正対象項目名】２６４１
【補正方法】変更
【補正の内容】
【２６４１】
１０                          パチンコ機（遊技機）
２２３ｆｅ 押下回数カウンタ（保持手段の一部）
２２３ｆｆ 操作頻度フラグ（保持手段の一部）
Ｓ２６４ 第１１および第１２実施形態における特典遊技実行手段
Ｓ３０５，Ｓ３２２ 第１１および第１２実施形態における判別手段
Ｓ４５０４ 第１１および第１２実施形態における第１演出実行手段
Ｓ４０４０６ 第１１および第１２実施形態における第２演出実行手段、第３演出実行手段
Ｓ４０６０３〜Ｓ４０６０８ 割合設定手段
Ｓ４０６０９ 第１１および第１２実施形態における第１演出態様決定手段、第２演出態様決定手段
Ｓ４０６１０ 第１１および第１２実施形態における第１特定演出実行手段、第２特定演出実行手段
Ｓ４１２０３ 成立状況判別手段
ＣＢ 中央ボタン（操作手段）